(57)【要約】本発明は、シート部分を有するインサートを備える通気シートであって、インサートは、第１の穴及び第２の穴を有する流量制御層と、インレー及び本体部を有するスペーサと、第１の流体バリアとを有し、流体密封境界によってインレーが本体部から実質的に隔離される、通気シートに関する。本発明はまた、シート部分を有するインサートを備える通気シートであって、インサートは、少なくとも１つの穴を有する第１の流量制御層と、第１のスペーサ及び第２のスペーサと、少なくとも１つの穴を備える流体バリアとを有する、通気シートに関する。本発明はまた、通気シートであって、シート部分を有し、且つシート部分に穴及び複数の流通孔を有する流量制御層、スペーサ、及び流体バリアを有するインサートと、流量制御層のシート部分に隣接して位置する複数の流通孔を有する少なくとも１つの導管とを備える、通気シートに関する。シートは、スペーサと流体連通するファンと、流体調整装置とを含んでもよい。本発明はまた、シートを通気する方法に関する。本方法は、熱電素子（ＴＥＤ）を設けること、ＴＥＤで空気を調整して加熱又は冷却を提供すること、及びインサートを通してその調整された空気を押し出すか又はインサートから吸い出すことでインサートを通して調整された空気を伝えることを含む。
2007506526.tif 000002
【特許請求の範囲】
【請求項１】
通気シートであって、
シート部分を備えるインサートを備え、該インサートは、
第１の穴及び第２の穴を有する流量制御層と、
インレー及び本体部を備えるスペーサと、
第１の流体バリアと
を備え、
前記インレーは、流体密封境界によって前記本体部から実質的に隔離される、通気シート。
【請求項２】
前記第１の穴及び前記第２の穴は、前記インサートの延長部に位置付けられる、請求項１に記載の通気シート。
【請求項３】
前記流量制御層は、前記シート部分に位置付けられる流体バリア又は少なくとも１つの流通孔を備える、請求項２に記載の通気シート。
【請求項４】
前記第１の穴は前記インレーと位置合わせされ、前記第２の穴は前記スペーサの前記本体部と位置合わせされる、請求項３に記載の通気シート。
【請求項５】
前記流体密封境界は、前記インサートの延長部に穴と、前記インサートの前記シート部分に複数の前記流通孔とを備える、請求項４に記載の通気シート。
【請求項６】
前記スペーサは、網状フォーム、ストランド材料、溝付き材料、又は螺旋状材料から成る、請求項５に記載の通気シート。
【請求項７】
前記流量制御層は、少なくとも２つの穴を備える第２の流体バリアで置き換えられる、請求項１に記載の通気シート。
【請求項８】
ファンをさらに備える、請求項１に記載の通気シート。
【請求項９】
流体調整装置をさらに備える、請求項１に記載の通気シート。
【請求項１０】
前記流体調整装置は熱電素子である、請求項９に記載の通気シート。
【請求項１１】
付加的なスペーサ、シートカバー、少なくとも１つの取り付け部品、接着層、少なくとも１つのセンサ、少なくとも１つの制御ユニット、又はそれらの組み合わせの少なくとも１つをさらに備える、請求項９に記載の通気シート。
【請求項１２】
前記インサートはシートクッションに取り付けられる、請求項１１に記載の通気シート。
【請求項１３】
前記インサートは前記シートカバーに取り付けられる、請求項１２に記載の通気シート。
【請求項１４】
前記少なくとも１つのセンサは温度センサである、請求項１１に記載の通気シート。
【請求項１５】
ファン及びＴＥＤをさらに備え、前記ファン及び前記ＴＥＤは、前記インサートの前記延長部に接続される、請求項１に記載の通気シート。
【請求項１６】
前記インサートは端部がシールされた袋から成る、請求項１に記載の通気シート。
【請求項１７】
通気シートであって、
シート部分を有するインサートを備え、該インサートは、
少なくとも１つの穴を備える第１の流量制御層と、
第１のスペーサ及び第２のスペーサと、
少なくとも１つの穴が位置付けられる流体バリアと
を備える、通気シート。
【請求項１８】
前記インサートは延長部をさらに備える、請求項１７に記載の通気シート。
【請求項１９】
前記流量制御層は、前記シート部分に位置付けられる流体バリア又は少なくとも１つの流通孔を備える、請求項１７に記載の通気シート。
【請求項２０】
前記第１の流量制御層の前記穴及び前記流体バリアの前記穴は、前記延長部に位置付けられる、請求項１９に記載の通気シート。
【請求項２１】
前記第１のスペーサは溝付き材料から成る、請求項１９に記載の通気シート。
【請求項２２】
前記インサートは端部がシールされた袋から成る、請求項２１に記載の通気シート。
【請求項２３】
前記第１のスペーサを前記第２のスペーサから隔てる第２の流量制御層をさらに備え、且つ前記シート部分に少なくとも１つの流通孔を備える、請求項１７に記載の通気シート。
【請求項２４】
前記第１のスペーサ及び前記第２のスペーサはストランド材料から成る、請求項２３に記載の通気シート。
【請求項２５】
前記インサートは端部がシールされた袋から成る、請求項２４に記載の通気シート。
【請求項２６】
前記穴のいずれかを通して前記スペーサと流体連通するファンをさらに備える、請求項１７に記載の通気シート。
【請求項２７】
流体調整装置をさらに備える、請求項２６に記載の通気シート。
【請求項２８】
前記流体調整装置は熱電素子（ＴＥＤ）である、請求項２７に記載の通気シート。
【請求項２９】
前記ファンは前記ＴＥＤと流体連通する、請求項２８に記載の通気シート。
【請求項３０】
前記ファン及び前記ＴＥＤは前記インサートに取り付けられる、請求項２８に記載の通気シート。
【請求項３１】
前記インサートは端部がシールされた袋から成る、請求項１７に記載の通気シート。
【請求項３２】
通気シートであって、
シート部分を備えるインサートであって、
穴を備える流量制御層、
スペーサ、及び
流体バリア
を備えるインサートと、
該インサートの前記シート部分に隣接して位置付けられる少なくとも１つの流通孔を有する少なくとも１つの導管と
を備える、通気シート。
【請求項３３】
前記少なくとも１つの導管は、前記インサートのシールされた端部内に位置付けられる、請求項３２に記載の通気シート。
【請求項３４】
前記少なくとも１つの導管は前記インサートに取り付けられる、請求項３２に記載の通気シート。
【請求項３５】
前記少なくとも１つの導管は、前記乗員に対して前記流量制御層の下に位置付けられる、請求項３２に記載の通気シート。
【請求項３６】
前記少なくとも１つの導管は、前記乗員に対して前記流量制御層の上に位置付けられる、請求項３２に記載の通気シート。
【請求項３７】
前記流量制御層は、前記シート部分に位置付けられる流体バリア又は少なくとも１つの流通孔を備える、請求項３２に記載の通気シート。
【請求項３８】
前記穴は前記インサートの延長部に位置付けられる、請求項３２に記載の通気シート。
【請求項３９】
前記流量制御層の前記穴によって前記スペーサと流体連通するファンをさらに備え、該ファンは前記少なくとも１つの導管とも流体連通する、請求項３２に記載の通気シート。
【請求項４０】
前記少なくとも１つの導管と流体連通する流体調整装置をさらに備える、請求項３９に記載の通気シート。
【請求項４１】
前記流体調整装置は熱電素子（ＴＥＤ）である、請求項４０に記載の通気シート。
【請求項４２】
付加的なスペーサ、シートカバー、少なくとも１つの取り付け部品、接着層、少なくとも１つのセンサ、少なくとも１つの制御ユニット、又はそれらの組み合わせの少なくとも１つをさらに備える、請求項３２に記載の通気シート。
【請求項４３】
前記インサートはシートクッションに取り付けられる、請求項４２に記載の通気シート。
【請求項４４】
前記インサートは前記シートカバーに取り付けられる、請求項４３に記載の通気シート。
【請求項４５】
少なくとも２つのファン及びＴＥＤをさらに備える、請求項３２に記載の通気シート。
【請求項４６】
ファン及びＴＥＤをさらに備え、前記ファン及び前記ＴＥＤは、前記インサートの前記延長部に接続される、請求項３２に記載の通気シート。
【請求項４７】
通気シートであって、
シート乗員を支持する穿孔された着座面と、
該着座面の下に配置され、周囲空気を冷却流体と組み合わせる混合領域と、
該混合領域に周囲空気を供給し、該混合領域に冷却空気を供給し、前記組み合わせた周囲空気及び冷却流体を除去し、且つそれらの組み合わせを行うファンと、
外気からの前記流体の温度を少なくとも調整する流体調整装置と
を備える、通気シート。
【請求項４８】
前記流体調整装置は熱電素子である、請求項４７に記載の通気シート。
【請求項４９】
前記混合領域の少なくとも一部はインサートに配置される、請求項４７に記載の通気シート。
【請求項５０】
前記インサートと前記着座面との間に配置されるスペーサをさらに備える、請求項４９に記載の通気シート。
【請求項５１】
前記混合領域の少なくとも一部は前記スペーサに配置される、請求項５０に記載の通気シート。
【発明の詳細な説明】
【技術分野】
【０００１】
［発明の分野］
本発明は、概して、シートに加熱、冷却、通気、又はそれらの組み合わせを提供するインサート及びシステムに関し、より詳細には、自動車用のインサート及びシステムに関する。
【背景技術】
【０００２】
［優先権の主張］
本願は、２００３年９月２５日に出願された米国仮出願第６０／５０５，８０６号及び２００３年１２月１日に出願された米国仮出願第６０／５２５，９５９号の利益を主張する。
【０００３】
［発明の背景］
輸送業界は、長年にわたり、シートに座っている乗員の快適性を高める自動車用シートの設計に取り組んできた。座り心地のよさの提供に関する種々の革新が、米国特許第６，０６４，０３７号、第５，９２１，３１４号、第５，４０３，０６５号、第６，０４８，０２４号、及び第６，００３，９５０号に記載されており、これらは全て参照により本明細書に特に援用される。さらに、座り心地のよさの提供に関する他の革新が、２０００年７月１９日に出願された「Ventilated Seat Having a Pad Assembly and a Distribution Device」と題する米国特許出願第０９／６１９，１７１号、２００１年１月５日に出願された「Ventilated Seat」と題する米国出願公開第２００２／００９６９３１号、２００３年１０月７日に出願された「Portable Ventilated Seat」と題する米国特許第６，６２９，７２４号、２００３年５月９日に出願された「Automotive Vehicle Seat Insert」と題する米国特許出願第１０／４３４，８９０号、２００３年１月１７日に出願された「Automotive Vehicle Seating Comfort System」と題する米国特許出願第１０／４６３，０５２号、及び２００３年１０月８日に出願された「Automotive Vehicle Seating Comfort System」と題する米国特許出願第１０／６８１，５５５号に記載されており、これらそれぞれはあらゆる目的で参照により本明細書に特に援用される。
【発明の開示】
【発明が解決しようとする課題】
【０００４】
このような革新を継続するために、本発明は、自動車シート内で又は自動車シートの一部として用いるのに適していることが好ましく、且つシートに座っている乗員の快適性の制御を行うのに役立つ、シート用の改良型のインサート及びシステムを提供する。
【課題を解決するための手段】
【０００５】
［発明の概要］
本発明は、シート部分を有するインサートを備える通気シートであって、インサートは、第１の穴及び第２の穴を有する流量制御層と、インレー及び本体部を有するスペーサと、第１の流体バリアとを有し、流体密封境界によってインレーが本体部から実質的に隔離される、通気シートに関する。本発明はまた、シート部分を有するインサートを備える通気シートであって、インサートは、少なくとも１つの穴を有する第１の流量制御層と、第１のスペーサ及び第２のスペーサと、少なくとも１つの穴を備える流体バリアとを有する、通気シートに関する。本発明はまた、通気シートであって、シート部分を有し、且つシート部分に穴及び複数の流通孔を有する流量制御層、スペーサ、及び流体バリアを有するインサートと、流量制御層のシート部分に隣接して位置する複数の流通孔を有する少なくとも１つの導管とを備える、通気シートに関する。このシートはまた、スペーサと流体連通するファン及び流体調整装置を含んでもよい。
【０００６】
本発明はまた、シートを通気させる方法に関する。この方法は、熱電素子（ＴＥＤ）を設けること、ＴＥＤで空気を調整して加熱又は冷却を提供すること、及びその調整された空気をインサートを通して押し出すか又はインサートから吸い出すことでインサートを通して調整された空気を伝えることを含む。
【発明を実施するための最良の形態】
【０００７】
［詳細な説明］
本発明は、シート内又はシート上に配置されてシート乗員に加熱（heating：暖房）、冷却（cooling：冷房）、通気、又はそれらの組み合わせを提供するのに適したインサートを含む。インサートは、少なくとも１つの層を含むが、複数（例えば３つ）の層を含むことが好ましく、層はそれぞれ単層であっても複数の層（例えば積層板）であってもよい。複数の層は、互いに貼り合わせられている必要はないがその方が好ましい。より好ましくは、層は、少なくとも端部が互いに貼り合わせられ、端部がシールされた袋を形成する。インサートの層は通常、同じ大きさであるが、場合によっては他の層又はインサートと同じ大きさではない部分層が適しているかもしれない。
【０００８】
インサート及びインサートを構成する層は通常、シート部分及び延長部を有する。その名が示唆するように、シート部分は概して、シート乗員が座っているシートの領域に加熱、冷却、通気、又はそれらの組み合わせを提供する、インサートの領域である。延長部により、インサートを含むシステムの部品をシート部分から遠隔に配置することができる。これにより、シートの快適性を妨げないように部品を適宜位置付けることができる。延長部は、通常はシートの後部に位置付けられるが、左右に位置付けてもよく、シートの前部に位置付けてもよく、又は全くなくてもよい。複数の延長部をインサートで用いることもできる。
【０００９】
通常、インサートはシートクッション又は背もたれクッションによって支持される。シートクッション又は背もたれクッションは、クッション内の一部又は全体に延びる１つ又は複数の管を含んでいてもよく、又はクッション内に延びる管がなくてもよい。好ましいクッションは、成形又は切り抜きによる流体分配管路網を有さないことが好ましい成形プラスチックフォームであるが、クッションの片側から別の側まで延長部を通す溝又は開口部を有するようになっていてもよい。シートクッション及び／又は背もたれクッションはさらに、シートフレームによって支持され得る。１つのシート又は背もたれクッションに複数のインサートを用いてもよく、その場合、インサートは同じ機能を果たしても異なる機能を果たしてもよい（例えば、１つのインサートは冷却のみを行うことができ、別のインサートは加熱及び冷却の両方を提供することができる）。
【００１０】
１つ又は複数の異なる種類の層を用いて、インサートを構成することができる。例えば、インサートは、インサート内に中空部を設けるように１つ又は複数のスペーサを含むことができる。インサートの１つ又は複数の層間、インサートとシートの残りの部分との間、又はインサートと周囲との間に流体を選択的に流すために、１つ又は複数の流量制御層を含んでもよい。１つ又は複数の流体バリアを含んでもよい。他のオプションの層は、ヒータ、クーラ、１つ又は複数の付加的なスペーサ、１つ又は複数の被覆層、及び／又はインサートの製造に役立つ１つ又は複数の層を含む、層を含む。
【００１１】
スペーサは、流体が材料を通って流れるのを可能にするとともにシート乗員にある程度の支持も与える、任意の構造、材料、又は材料及び／又は構造の組み合わせであり得る。スペーサは、シート乗員の重量下で潰れてはならず、スペーサにおける流体連通を維持すべきである。一例として、スペーサは、ゴム、フォームプラスチック等を含み得る。一態様では、スペーサは、網状フォーム又はばねを含み得る。
【００１２】
スペーサは、クッション及び支持を与えるほど互いに十分に近いままで互いの間に中空部を設けるように互いに離間していることが好ましい、複数の部材又は繊維を含み得る。１つの好ましいスペーサは、対向するハニカム構造（例えば、織物パネル）を提供するように織り合わせられるポリマー（例えば、ポリエステル）ストランド材料から形成され、このハニカム構造は、クッション及び支持を与えたままで構造間に中空部を設けるように、いくつかのさらなるポリマーストランド材料によって相互接続される。一例として、１つの好ましい材料は、３ＭＥＳＨ（商標）という商品名で販売されており、ミュラー・テクステイル有限会社（Muller Textil GmbH)（ドイツ）又はミュラー・テクステイルズ社（Muller Textiles, Inc.）（ロードアイランド州、米国）から市販されている。
【００１３】
別の好ましいスペーサは、２つの材料シート間に保持された螺旋状のポリマー材料から形成される。好ましくは、材料シートにこの螺旋を取り付けるための拡大領域を螺旋に設けるために、螺旋は長円形である。螺旋は、螺旋の隣接コース同士が接触するようにきつく巻かれてもよく、又は螺旋の隣接コース同士が接触しないように緩く巻かれてもよい。通常、複数の螺旋がスペーサを形成するために互いに隣接して（当接するか又は他の形で）配置される。例示的な螺旋状材料は、いずれも２００４年３月１７日に出願された国際出願ＰＣＴ／ＤＥ０４／０００５４０及びＰＣＴ／ＤＥ０４／０００５４１に記載されており、これらはいずれも参照により援用される。
【００１４】
別の好ましいスペーサ材料は、溝付き材料である。溝付き材料は複数の山及び谷を含み、山は貫通孔を含む。溝付き材料は、成形又は整形フォーム又はプラスチック等、任意の適当な材料を含むことができる。流通孔は、山及び谷の前に作っても、山及び谷と同時に作っても、又は山及び谷の後に作ってもよい。
【００１５】
上述の材料の組み合わせを用いて、スペーサを得ることができる。
【００１６】
流量制御層は通常、熱に曝されると軟化又は溶融することでインサートの１つ又は複数の他の層への接着を助ける、プラスチック材料又はポリマー材料から形成される。代替的に、流量制御層は、布、織布材料（例えば、Ｇｏｒｅｔｅｘ（商標）又はマイクロファイバー）、ナイロン、クローズドポアフォーム（closed pore foam）、又は他のもの等から形成され得る。好ましくは、流量制御層の少なくとも一部は、複数の貫通孔を除いて、流体、特に空気を通さない。この層は、いかなる流体又は空気も実質的に通さないという必要はない。例示的な貫通孔は、通常は延長部に位置付けられる穴（例えば、入口及び／又は出口）、及び通常はシート部分に位置付けられる流通孔を含む。
【００１７】
寸法的には、流量制御層に関しては、フィルムの厚みは約０．１ｍｍ〜約２．０ｍｍの厚みであることが好ましく、約０．７ｍｍ〜約１．０ｍｍの厚みであることがより好ましい。当然ながら、流量制御層は可変の厚みを有してもよく、上記の範囲外であってもよいことが意図される。
【００１８】
流体バリアは、流量制御層と同様であってもよく、流量制御層と同じ材料を含んでいても異なる材料を含んでいてもよい。好ましくは、流体バリアは、流量制御層と同様の組成及び寸法を有する。流量制御層のように、流体バリアは、通常はインサートの延長部に１つ又は複数の穴を含み得る。流量制御層とは異なり、流体バリアは流通孔を備えない。また、流量制御層のように、流体バリアの少なくとも一部は、穴を除いて、流体、特に空気を通さない。流体バリアは、いかなる流体又は空気も実質的に通さない必要はない。
【００１９】
穴及び流通孔は概して、流体バリア及び流量制御層に流体連通を与える。流通孔は概して、インサートのシート部分に位置付けられる。各流量制御層の流通孔のパターンは、同じであっても異なっていてもよい。１つの好ましいレイアウトでは、流通孔のサイズは、インサートのシート部分の端から端にかけて徐々に変化する。通常、流通孔は、シートの後部よりもシートの前部付近の方が大きいが、実際には必ずしもそうとは限らない。このようにサイズを漸変させることにより、流量制御層を通る流体の流れを種々の場所で選択的に変えることができる。別の好ましいレイアウトでは、流通孔は、乗員がシートと接触することになるシートの領域に概ね対応する。
【００２０】
例示的なオプションの層には、ヒータを有するものが含まれる。様々な異なるタイプのヒータが自動車のシートに組み込むのに適しており、このようなヒータのいずれを本発明のインサートに組み込んでもよいことが意図される。このようなヒータは通常、薄く、平坦で、目立たず、又はそれらの組み合わせであることが好ましい、可撓性の発熱体を組み込む。例えば、通常は裏地（例えば、布又は織物タイプの裏地）で支持された、ワイヤ敷設型ヒータ（lay wire heater）、カーボンファイバヒータ、正温度係数（ＰＣＴ）ヒータ、熱電ヒータ等を、インサート内で用いることができる。好ましい一実施形態では、ヒータは裏地（例えば、不織層）を有するカーボンファイバタイプのヒータである。１つの例示的な好ましいヒータは、ＣＡＲＢＯＴＥＸ（商標）という商品名で販売されており、ドイツのＷ．Ｅ．Ｔオートモーティブ・システムズ社（W.E.T. Automotive Systems, Inc.）及び／又はＦＴＧフレイザー・テクニック有限会社（FTG Fraser-Technik GmbH）から市販されている。このようなヒータの一例は、２０００年５月１６日に発行された米国特許第６，０６４，０３７号に開示されており、これはあらゆる目的で参照により本明細書に特に援用される。可撓性のＴＥＤシートの形態のヒータ／クーラの組み合わせが、適したオプションの層であり得る。可撓性のＴＥＤシートとしては、参照により援用される米国特許第６，７００，０５２号に記載されているものが挙げられる。他のクーラとしては、参照により援用される２００３年９月２５日に出願された米国仮出願第６０／５０５，８０６号に記載されているものが挙げられ得る。
【００２１】
オプションの付加的なスペーサは、インサートの他の部分のスペーサで用いられるものと同じ材料であっても異なる材料であってもよい。好ましいオプションの付加的なスペーサは、網状フォームを含む。
【００２２】
適したオプションの被覆層は、インサートの一部であるか又はインサートとは別個であるシートカバーを含むが、概してインサートをシート乗員から隔てるものである。シートカバーは、少なくとも１つの剛性材料、天然材料（例えば、羊毛、革、又は他のもの）、又はそれらの組み合わせを含むがこれらに限定されない、任意の適当な材料であり得る。一実施形態では、シートカバーは、着座面の少なくとも一部にわたって、空気又は他の流体を通すことができる穿孔を含む。別の実施形態では、カバーは穿孔を実質的に有さない。例えば、穿孔された、又は穿孔されていない革を用いて、シート乗員をインサートから隔てることができ、インサートの一部としてフリース材料を用いて、吸湿を高めるか又は他の方法で保護層を提供することができる。
【００２３】
付加的なスペーサ及びシートカバーの面積は、インサートと同じ大きさであってもよく、又はインサートの面積よりも大きくても小さくてもよい。
【００２４】
１つ又は複数の接着層を用いて、インサートの組み立てを補助することができる。接着層は、ホットメルト接着剤からで形成されることが好ましいが、必ずしもそうである必要はない。接着剤は、ウェブとして又は他の形で設けることができ、一続きであっても断続的であってもよい（例えば、滴下、塗布等で施してもよい）。接着副次層は、ポリアミド、ポリエステル、エラストマー、ウレタン、オレフィンポリマー、又はそれらの組み合わせを含むことができる。さらに、接着剤は、特定の処理パラメータ又は条件に望まれるように配合することができる。好ましくは、接着副次層は、アンチブロッキング溶液、発泡用添加剤（blowing additives）、処理過程で生成される汚染物質等、接着性能を妨げ得るものを実質的に含まない。一例として、１つの適したホットメルト接着剤は、ＳＰＵＮＦＡＢ（商標）という商品名の不織布ウェブとしてスパンファブ社（Spunfab, Ltd.）（175 Muffin Lane, Cuyahoga Falls, OH 44223）から市販されている。
【００２５】
本発明のインサートは、シートクッションとシートカバーとの間の空間で組み立てられる別個のユニットであるか、シートクッション内に一体形成されるか、シートカバー内に一体形成されるか、又はそれらの任意の組み合わせであることができる。
【００２６】
インサートに加えて、本発明は、加熱、冷却、通気、又はそれらの組み合わせを提供するシステムを含む。このシステムは、インサート及びインサートの動作を容易にする１つ又は複数の異なる部品を有する。例えば、このシステムは、ファン、流体調整装置、１つ又は複数の取り付け部品、１つ又は複数の弁、１つ又は複数のセンサ、及び／又は１つ又は複数の制御部を含むことができる。さらに、１つ又は複数の導管を用いて、ファンとインサートとの間、又はインサートと流体調整装置との間等、システムの部品間を流体連通させてもよい。
【００２７】
ファンは、空気（調整空気、周囲空気、押し出された空気、吸い出された空気、及びそれらの組み合わせのいずれであるかに関係なく）をインサートに通すための原動力を提供する。ファンを用いて、インサートに空気を押し出すか、又はインサートから空気を吸い出すことができる。ファンを用いて、空気の押し出し及び吸い出しの両方を行うこともできる。例えば、少なくとも２組のファン翼（例えば、逆方向を向いた翼を有する）が、共通の軸を共有し、空気の押し出し及び吸い出しの両方を行うことができる２機能ファン（binary fan）を形成する。複数のファンを用いることもできる。ファンは、環状入口を含むこともできるが、環状入口を含まないファンも意図される。ファンの定義には、インペラ（双方向インペラを含む）、ブロワ等が含まれる。ファンは、他の流体（例えば、液体）をインサートに通すための原動力を提供する装置も指す。ファンは、定常流体流、脈動流体流、振動流体流等をもたらすことができる。
【００２８】
流体調整装置は、流体を加熱又は冷却するいかなる装置であってもよい。この装置は、１つの部品が加熱を行い別の部品が冷却を行う装置の組み合わせであってもよい。好ましくは、１つの装置又はシステムが加熱及び冷却の両方を行う。この装置は、シートが位置付けられる建物又は車両内のＨＶＡＣシステム等の外部装置であってもよく、又はシートが位置付けられる建物又は車両に装置が（電源以外に）接続されないことを意味する内部装置であってもよい。温度調整を行うことに加えて、流体調整装置は流体（例えば、空気）の除湿を行うこともできる。
【００２９】
好ましくは、流体調整装置は、空気の冷却及び加熱の両方を行う内蔵型又は固体装置である。最も好ましい装置は、ペルチェ素子又は熱電素子（ＴＥＤ）である。ＴＥＤは、装置に電気を通すことによって固体加熱及び冷却を行う市販の装置である。ＴＥＤは、廃熱側（waste side：放熱側）及び能動側（active side：冷却側）を含み、これらは暖かい調整空気が望まれるか冷たい調整空気が望まれるかに応じた相対的な呼び方である。いずれのＴＥＤ供給業者も、本発明で用いられるのに適した装置を提供することができるであろうが、テルレックス(Tellurex)製のＴＥＤ（テルル化合物、ＣＯ）が好ましい。ＴＥＤは、任意の有用な放熱装置、例えば、ヒートシンク、熱交換器、ファン、ヒートパイプ等と組み合わせてもよい。
【００３０】
取り付け部品は、ファン、流体調整装置、導管、又は他の部品をインサートに取り付けるための場所を画定することが好ましいフレーム部材である。フレーム部材は、様々な構成（例えば、環状、矩形、正方形、多角形、又は他の形状）をとることができ、好ましい様々な硬質又は半硬質の材料（例えば、金属、プラスチック等）から形成することができることが意図される。いくつかの態様では、取り付け部品は穴を画定するのにも役立つ。好ましい一実施形態では、取り付け部品は、ファン、流体調整装置、又は他の部品上の構造及び／又は材料（例えば、スナップ嵌めファスナ）と協働して、装置又は部品を取り付け部品に接続する。
【００３１】
１つ又は複数の弁を用いてシステム内の流体の流れの向きを変えることで、流体中の未使用エネルギー（すなわち、流体の温度が周囲よりも高い）又はエネルギー容量（すなわち、流体の温度が周囲よりも低い）を利用することができる。例えば、弁を用いて流体を周囲に逃がすことで、流体中に蓄積されている不要なエネルギーを処分することができる。弁を用いて、流体をシステムの部品（例えば、流体調整装置）に向け直すことで、このような部品の加温及び冷却を行うこともできる。さらに、弁を用いて、場合によってはシステム内で流体を再循環させることで、密閉系又は部分密閉系を形成することができる。
【００３２】
温度センサ、湿度センサ、電流センサ、乗員検出センサ、重量センサ等、様々なセンサをシステムに含むことができる。センサはシステム全体に配置してもよい。例えば、温度センサは、スペーサ内、スペーサ間、スペーサと付加的なオプションの層（例えば、網状フォーム又はシートカバー）との間、流体調整装置付近、ファン付近、及びそれらの組み合わせに配置することができる。
【００３３】
１つ又は複数のコントローラを用いて、センサ又は用いられる制御装置からの入力を受け取り、ファン及び流体調整装置に命令を発し、且つ／又は他の方法でシステムの動作を調整することができる。
【００３４】
以下で説明するインサート及びシステムの実施形態は、インサート及び／又はシステム内に通される温度調整された流体として、空気を利用する。しかしながら、他のガス及び／又は液体の流体もこれらの実施形態で利用することができることを理解されたい。
【００３５】
図１に見られるように、インサート１０の第１の実施形態は概して、シート部分１２及び延長部１４を含む。インサートは、第１の流量制御層１６、第１のスペーサ１８、第２の流量制御層２０、第２のスペーサ２２、及び第１の流体バリア２４も含む。この場合、スペーサは、ポリマーストランド材料から成る。好ましい一実施形態では、これらの層は、少なくとも端部が互いにシールされて、端部がシールされた袋を形成する。
【００３６】
第１の流量制御層１６及び第１の流体バリア２４はいずれも、少なくとも１つの穴２６及び２８をそれぞれ含む。穴は概して、インサートの延長部に位置付けられ、スペーサへのアクセスを可能にする。穴２８は、第１の流体バリアではなく、第２のスペーサ層の側方に位置付けられてもよい。この態様では、穴は、第２の流量制御層及び第１の流体バリアの延長部によって画定される。別の態様では、穴は、第２の流量制御層２０に位置付けられ得る。この場合、第２の流量制御層２０の首部を第１のスペーサ１８の首部から隔てるために、部分的な流体バリア３０（仮想線で示す）が必要である。
【００３７】
流量制御層は、複数の流通孔３２を含む。流通孔は概して、インサートのシート部分に位置付けられる。各流量制御層の流通孔のパターンは、同じであっても異なっていてもよい。
【００３８】
別の態様では、第１の流量制御層を、延長部に穴のある第２の流体バリアで置き換えてもよい。これにより、シート乗員に空気を吹き付けることもシート乗員から空気を引き出すこともないインサートが提供される。さらに別の態様では、第１の流量制御層を、シート部分の網状フォームと延長部の流体バリアとの組み合わせで置き換えてもよい。流体バリアは穴を含む。
【００３９】
第１の実施形態のインサートを含むシステムでは、ファンは、インサートの穴の１つに取り付けられる。代替的に、導管がファンをインサートの２つの穴のいずれかに接続する。このような取り付けは、取り付け部品によって容易にすることができる。ファンは、インサートから空気を吸い出すか又はインサートに空気を押し込むように構成することができる。
【００４０】
インサートの第１の実施形態を含むシステムはまた、ＴＥＤの形態の流体調整装置を含むことが好ましい。ＴＥＤは、インサート及びファンから遠隔に位置付けてもよいが、必ずしもそうとは限らない。実際には、ＴＥＤは、インサートに隣接して配置されるか、又は取り付け部品を用いてインサートに取り付けられることが好ましいであろう。ＴＥＤは、空気流がＴＥＤの放熱側及び冷却側の両方を通ることが１つのファンを用いて可能であるように配置されることが好ましい。さらに、ＴＥＤは、ＴＥＤの冷却側からの調整空気がスペーサに押し出されるか又はスペーサから吸い出されるように、ファンに対して配置することができる。導管を用いて、所望の空気流を得ることができる。
【００４１】
好ましい一実施形態では、図２に概略的に示すように、インサート１０は、２つの流量制御層１６及び２０を含み、ファン３４は、ＴＥＤ３８の冷却側３６を越えてスペーサ１８、２２を通して空気を吸い出し、ＴＥＤの放熱側４０を越えて同様に空気を吸い出す。この態様は、オプションの付加的なスペーサ４２を用いて示されている。空気流は、図２において矢印で概略的に示されている。代替例では、ファンは、放熱側を越えて空気を押し出すことができる。好ましい一実施形態では、ＴＥＤの冷却側は、ファンによって引き出される空気を冷却しており、ＴＥＤの放熱側からは、ファンによって熱が排出されている。温度調整された空気は、スペーサを通して送られて、シート乗員に清涼感を与える。
【００４２】
一態様では、第２の流量制御層は、周囲空気（すなわち、流体調整装置によって調整されていない空気）をシート乗員付近からファンによって引き出させて、さらなる通気及び冷却を提供する。このような構成は図２に示されており、図２の矢印は、空気がインサートの上部から引き込まれることを示す。別の態様では、第２の流体バリアが第１の流量制御層の代わりに用いられ、シート乗員付近から外気が引き出されるのを防止する。
【００４３】
図３に見られるように、第２の実施形態に係るインサート１００は、第１の実施形態と同様であるが、第１のスペーサ１０２が溝付き材料１０４を含む。溝付き材料を用いることで、第１の流量制御層１０６（仮想線で示す）の使用がオプションになる。インサートは、第２のスペーサ１０８及び流体バリア１１０も含む。溝付き材料１０４は、複数の山１１２及び谷１１４を含み、山は複数の流通孔１１６を含む。図３に示す態様では、溝付き材料は第１のスペーサの一部のみを構成し、別のスペーサ材料（例えば、ポリマーストランド材料）が第１のスペーサの残りの部分を構成する。代替的に、第１のスペーサは、完全に溝付き材料から構成されてもよい。ほぼ平行な山及び谷が好ましいが、山及び谷の他の構成が適している場合もある。通常、第１のスペーサの全体が溝付き材料である場合、谷はシート部分から延長部の穴領域まで延びる。この態様では、流通孔は、インサートのシート部分の山にのみ位置付けることができる。この実施形態では、スペーサのシート部分を通る空気流を促すために、スペーサの延長部間に部分流体バリア１１８が必要であり得る。
【００４４】
インサートの第１の実施形態を含むシステムのように、第２の実施形態のインサートを含むシステムは、同様にファン及びＴＥＤを利用する。上述のように、ファン及びＴＥＤは、システム内で様々な方法で組み合わせることができる。
【００４５】
システムの好ましい一実施形態では、図４に概略的に示すように、ファン１２０が、ＴＥＤ１２４の冷却側１２２を越えて、第２のスペーサ１０８及び流通孔１１６を通して谷１１４を下り、ファンに向かってＴＥＤの放熱側１２６を越えて、空気を引き出すように配置され、この空気流は矢印で示される。このとき、流体バリアを用いて、ファンが周囲空気をシート乗員付近から引き出すのを防止することができる。この態様は、オプションの付加的なスペーサ１２８を用いて示されている。
【００４６】
図５に見られるように、第３の実施形態に係るインサート２００は、概して、シート部分２０２及び延長部２０４を含む。インサートは、流量制御層２０６、スペーサ２０８、及び流体バリア２１０も含む。流量制御層２０６の代わりに第２の流体バリアを用いてもよい。
【００４７】
スペーサ２０８は、内部に切欠部２１４のある本体部２１２を含む。インレー２１６が、切欠部２１４内に収まるようになっている。代替的な一実施形態では、本体部及びインレーの相対位置は、インレーが少なくとも部分的に本体部を囲むように逆になっている。この実施形態は、導管がスペーサ材料から成る第４の実施形態（下記）と同様である。
【００４８】
本体部及びインレーは、互いに同じ材料であっても異なる材料であってもよく、これらの材料は通常、上述のスペーサ材料から選択される。
【００４９】
インレー２１６が本体部２１２と組み立てられると（すなわち、本体部に嵌め込まれると）、スペーサの本体部２１２とインレー２１６との間の流体連通を防止する流体密封境界を少なくとも部分的に形成する、流体バリア２１８ができる。
【００５０】
通常、組み立てられると、インレーはインサートの延長部及びシート部分の両方に跨る。図５では分岐していないように示されているが、インレーは、Ｙ字形等の様々な分岐形状を取ることができ、Ｙ字形の場合、Ｙの腕部がシート部分にあたり、尾部分がインサートの延長部にあたる。「分岐がさらに分岐した（branches-on-branches）」構成が適している場合もある。概して、インレーは１つだけであることが好ましいが、複数のインレーが適している場合がある。
【００５１】
流体バリアは、インレーの上又はインレーの周りで本体部に位置付けられてもよく、又は本体部及びインレーの両方と別個の部品であってもよい。好ましい一態様では、流体バリアはインレーに含まれる。
【００５２】
インレーは、インレーの内部との流体連通を提供する穴２２０を流体バリアに含む。穴は通常、インレーのうちインサートの首部にある領域に位置付けられる。インレーはまた、インレーのうちインサートのシート部分にある領域に複数の流通孔２２２を含むことが好ましい。これらの流通孔は、インサートの平面と平行に位置合わせしてもよく、インサートの平面に対して垂直に位置合わせしてもよく、又は他の何らかの角度で位置合わせしてもよい。流量制御シートは、本体部と位置合わせされて本体部の内部との流体連通を提供する穴２２３を含む。
【００５３】
一態様では、インレーは、ストランド材料、溝付き材料、又は網状フォーム材料から成っていてもよい。溝付き材料の場合、インレーの上又は周りで流体バリアを利用する必要はない場合がある。
【００５４】
インサートの第１の実施形態及び第２の実施形態を含むシステムのように、第３の実施形態のインサートを含むシステムは、同様にファン及びＴＥＤを利用する。上述のように、ファン及びＴＥＤは、システム内で様々な方法で組み合わせることができる。
【００５５】
システムの好ましい一実施形態では、図６に概略的に示すように、インサート２００はファン２２４を含み、ファン２２４は、ＴＥＤ２２８の冷却側２２６を越えてインレー２１６を通して本体部２１２又はオプションの付加的なスペーサ２３０に、流通孔を介して空気を吸い出す。ファンはまた、ＴＥＤの放熱側２３２を越えて空気を押し出す。代替例では、ファンは、放熱側を越えて空気を吸い出してもよい。好ましい一実施形態では、ＴＥＤの冷却側は、ファンによって引き出される空気を冷却しており、ＴＥＤの放熱側からは、ファンによって熱が排出されている。温度調整された空気は、スペーサのインレー及び本体部を通して送られて、シート乗員に冷却感を与える。
【００５６】
図７に見られるように、第４の実施形態に係るインサート３００は、概して、シート部分３０２及び延長部３０４を含む。インサートは、流量制御層３０６、スペーサ３０８、流体バリア３１０、及び少なくとも１つの導管３１２も含む。好ましくは、複数の導管が用いられる。一実施形態では、流量制御層３０６の代わりに第２の流体バリアを用いてもよい。
【００５７】
導管は、インサートのシート部分に対する流体連通を提供する。好ましくは、導管は概して、インサートのシート部分又は延長部の端部に沿って位置付けられる。代替例では、導管はインサートのシート部分内に延びることができる。
【００５８】
導管は、導管のシート部分に位置付けられる１つ又は複数の流通孔３１４を備える。流通孔は、１つ又は複数の方向を有することができ、すなわち、インサートの場所に対してほぼ垂直、インサートの平面とほぼ同じ平面上、又はこれらの間の任意の角度とすることができる。導管は、インサート内に保持されてもよく（インサートが密封された袋状のインサートであるか否かに関係なく）、インサートの外部に取り付けられてもよく、又はインサートの一部として形成されてもよい。好ましい一実施形態では、導管は、流量制御層の下でインサートの平面上に位置付けられる。図８に見られるように、導管は、流量制御層の上に位置付けられてもよい。
【００５９】
導管は、スペーサの材料とは異なるフレキシブルチューブ材料でできていることが好ましいが、実際には必ずしもそうとは限らない。適したフレキシブルチューブ材料としては、約１／６４インチ〜約１インチ以上の範囲の肉厚を有するチューブが挙げられる。適したチューブの材料は、低い熱容量を与えるように選択することができ、これは、チューブが優れた断熱性を有さないことを意味する。導管は、流体密封バリアによってインサートから区切られるスペーサ材料から成ることもできる。導管は一般にはインサートの一部であるが、シートの他の部品と交換するために（例えば、フロント又はサイドボルスタとして）用いてもよく、又はシートの他の部品（例えば、付加的なスペーサ層）の強度を増大させるために用いてもよい。
【００６０】
インサートの他の実施形態を含むシステムのように、第４の実施形態のインサートを含むシステムは、同様にファン及びＴＥＤを利用する。上述のように、ファン及びＴＥＤは、システム内で様々な方法で組み合わせることができる。ファン用の穴３１６は概して、インサートの延長部に位置付けられるが、ＴＥＤはインサートの延長部と同じ場所に位置付けられることが好ましく、より好ましくは延長部に取り付けられる。
【００６１】
システムの好ましい一実施形態では、図８に概略的に示すように、インサート３００はファン３１８を含み、ファン３１８は、導管３１２の流通孔からスペーサ３０８及び／又は付加的なスペーサ３２０を通して空気を吸い出す。ファンは、ＴＥＤ３２４の冷却側３２２を越えて、マニホルドを通して導管の流通孔に空気を吸い出す。ファンはまた、ＴＥＤの放熱側３２６を越えて空気を押し出す。代替例では、第２のファンを用いて、ＴＥＤの冷却側を越えてマニホルドを通して導管の流通孔に空気を押し出す。
【００６２】
好ましい一実施形態では、ＴＥＤの冷却側は、ファンによって引き出される空気を冷却しており、ＴＥＤの放熱側からは、ファンによって熱が排出されている。温度調整された空気は、スペーサを通して送られて、シート乗員に清涼感を与える。
【００６３】
導管及び通流孔の場所に応じて、温度調整された空気は、導管からスペーサに直接流れることができる。代替的に、空気は、導管とスペーサとの間の別の材料を通って流れることができる。このように、温度調整された空気は、インサートの表面を越えて吸い出される（及び／又は押し出される）。例えば、空気は、付加的なスペーサ（例えば、網状フォーム）又はカバー（例えば、穿孔された革）等、上述のオプションの層のいずれかを通って、又はその上を流れることができる。
【００６４】
好ましい一実施形態では、温度調整された空気が付加的なスペーサに流れ込み、周囲空気がシートカバーを通ってこの付加的なスペーサに流れ込み、そこで空気が混ざり合う。混合空気は、ファンによって吸い出されることでインサートのスペーサ材料に流れ込む。別の好ましい実施形態では、混合空気は流れない。これは、システムで用いるファン（複数可）のサイズ及び電力を選択することによって達成することができる。ファンが１つのシステムでは、ファンは付加的なスペーサにおいて負圧を生成するはずである。ファンが２つ以上あるシステムでは、マニホルドを通して導管の流通孔に空気を押し出すいずれかのファンが、インサートを通して空気を吸い出すファンによって生成される負圧よりも低い正圧を生成するはずである。
【００６５】
オプションの一実施形態では、弁（図示せず）を利用して、温度調整された空気がスペーサを通って流れる前にその空気の向きを変える。インサートが所望の温度に達しているため、このように向きを変えられた空気は外気に逃がすことができる。このように向きを変えられた空気をＴＥＤの放熱側に逸らすことで、無駄なエネルギーを散逸させるのを助けることもできる。
【００６６】
別のオプションの実施形態では、弁を利用して、温度調整された空気がスペーサを通って流れた後で、その空気を再循環させる。このような再循環空気は、周囲空気の温度よりも所望の温度に近い温度を有し得る。例えば、ＴＥＤが冷却モードである場合、再循環空気は周囲空気よりも低温であり得る。したがって、周囲空気を冷却するよりも、再循環空気を所望の温度に冷却する方が効率的であろう。
【００６７】
別の実施形態では、本発明は、シート乗員を支持する穿孔された着座面と、着座面の下に位置付けられて周囲空気を冷却流体と組み合わせる混合領域とを有する、通気シートを備える。ファンを用いて、周囲空気を混合領域に送ってもよい。ファンは、冷却流体を混合領域に送るか又は混合された周囲空気及び冷却流体を混合領域から除去する機能も果たすことができる。上述のように、流体調整装置を用いて流体の温度を変更する（すなわち、低下させる）ことができる。
【００６８】
一実施形態では、制御システムを用いて、一定の温度に達したとき又は一定の時間後にＴＥＤに供給される電力を自動的に変えることが意図される。あまり好ましくはないが、システムが感知した温度及び一定の時間の両方の組み合わせに基づいて電力を自動的に変えることも可能である。これに関して、本発明の一システムは、ＴＥＤに送られる電力の量又はファンの動作速度等のうちの１つのみを自動的に調節して、所望の冷却温度を得ることが好ましい。しかしながら、一実施形態は、ＴＥＤに送られる電力の量及びファンの動作速度の両方を自動的に調節することも意図する。本発明のシステムの動作は、乗員検出センサがある場合でもそこからのいかなる信号とも無関係に行われることが好ましい。しかしながら、ユーザの存在を検出するとシステムを自動的に動作させるために、制御システムと通信する乗員検出センサを用いることが可能である。
【００６９】
本発明は、加熱、冷却、通気、又はそれらの組み合わせを提供する方法にも関する。一方法は、ＴＥＤの冷却側を越えて、１つ又は複数のスペーサを通して、ＴＥＤの放熱側を越えて空気を吸い出すことを含む。別の方法は、ＴＥＤの冷却側を越えて、インレー及びスペーサの本体部を通して、ＴＥＤの放熱側を越えて空気を吸い出すことを含む。さらに別の方法は、ＴＥＤの冷却側を越えて、導管及びスペーサを通して、ＴＥＤの放熱側を越えて空気を吸い出すことを含む。これらの方法の全てにおいて、ＴＥＤの放熱側を越えて空気を押し出してもよい。さらに、全体的に空気を吸い出す代わりに、空気の押し出しを利用してもよい。上記の方法では、ＴＥＤに加えて他の流体調整装置を用いてもよく、空気以外の流体をファンによって移動させてもよいことが認識されるであろう。
【００７０】
別の実施形態では、方法は、輸送車両シートの着座面を通してシートの混合領域に周囲空気を引き込むことを含む。混合区域において、周囲空気は、熱電素子によって冷却された空気と混合され、混合領域に供給される。一実施形態では、混合領域の圧力は周囲圧力よりも低いため、得られる混合気の実質的に全ては着座面を通過しない。別の実施形態では、冷却空気は混合領域に吹き込まれるが、得られる混合気の実質的に全ては着座面を通過しない。いずれの実施形態でも、得られる混合気は混合領域から除去される。一実施形態では、混合領域はインサート内に位置付けられる。別の実施形態では、混合領域はインサートと着座面との間に配置される。
【００７１】
好ましい一実施形態では、本発明は、約１００℃を上回る温度からの冷却を提供し、より好ましくは約８０℃からの冷却を提供する。また、本発明は、約３７℃未満への、より好ましくは約２７℃未満への、最も好ましくは約２５℃未満への冷却を提供する。これらの温度は、インサート内の空気温度、システム内の任意の場所の空気温度、又はシート表面若しくはその付近の温度を指し得る。好ましい一実施形態では、本発明は、約５℃／分を上回る速度、約１０℃／分を上回る速度、約１５℃／分を上回る速度、約２０℃／分を上回る速度、約２５℃／分を上回る速度、及び約３５℃／分を上回る速度での冷却を提供する。
【００７２】
好ましくは、インサート及びシステムは、輸送車両で用いられるシート（例えば、輸送車両シート）に含むことができるが、インサート及びシステムは、デスクチェア、ラウンジチェア等、様々な他のシートで用いてもよい。
【００７３】
概して、本発明によるインサートを形成するために、上述のようなインサートの種々の層を様々な順序で、且つ様々なプロトコル及び技法に従って組み合わせてもよいことが意図される。したがって、種々の層及び副次層を組み合わせる順序及び組み合わせる技法は、そのような順序又は技法が特許請求の範囲に具体的に記載されていない限り、本発明をいかなる方法でも限定すべきではない。さらに、層はより多くてもより少なくてもよく、各層が含む副次層はより多くてもより少なくてもよいことも意図される。
【００７４】
概して、インサートの層を組み立てるにはラミネーションプロセスが好ましい。２００３年５月９日に出願された米国特許出願第１０／４３４，８９０号（参照により本明細書に援用される）は、本発明によるインサートの層を組み立てるのに適した１つの技法の説明を含んでいる。
【００７５】
インサート又はシステムをシートに組み立てるために、インサートは、カバー（例えば、穿孔された革カバー）等のシートの一部に、又はシートのシートクッション若しくは背もたれクッション（例えば、フォーム）に固定される（例えば、縫い付け、接着、又は他の方法により取り付けられる）ことが好ましい。一実施形態では、インサートがまずシートカバーに固定され、次にシートカバーがシートに固定される。例えば、インサートの端部がシートカバーに接合されてもよく、又はインサートの端部に沿った場所以外の場所がシートカバーに接合されてもよい。
【００７６】
別の実施形態では、シートカバーは、インサートを収めるポケットを含むように構成することができる。代替的に、面ファスナ（hook and loop fasteners）を利用して、インサートをシートの各部分（例えば、カバー、フレーム、シートクッション、又は背もたれクッション）に取り付けてもよい。縫い付け、接着剤、スナップ嵌めファスナ、又は合わせピン等、他の技法を用いて、インサートをシートに組み立ててもよい。さらに、インサートは、シートフレーム等、シートの他の部品に取り付けることができる。
【００７７】
システムの部品のほぼ全てを本発明のシート外ではなくシート内にまとめることによって、製造及び組み立ての簡便性等、種々の利点を実現することが可能である。例えば、全ての機能部品を遠隔の組み立て現場で組み立てた後で、シートを自動車組み立てラインに輸送し、そこでシートが単にボディインホワイトに搭載されて、車両の電気系統に接続されることが可能である。これとは反対に、他のシステムは、冷却空気をシートに供給することをシートの外部に位置付けられる冷却装置に依存するであろう。このようなシステムは、本発明の特定の実施形態の範囲内にあるが、あまり好ましくはない。
【００７８】
複数の部品又はステップの機能又は構造を組み合わせて１つの部品又はステップにしてもよく、又は１ステップ又は１部品の機能又は構造を複数のステップ又は部品に分けてもよいことが、さらに理解されるであろう。本発明は、これらの組み合わせの全てを意図する。別段の指示がない限り、本明細書に示される種々の構造の寸法及び幾何学的形状は、本発明を限定する意図はなく、他の寸法又は幾何学的形状が可能である。複数の構造部品又はステップは、１つの統合された構造又はステップで提供することができる。代替的に、１つの統合された構造又はステップを、別個の複数の部品又はステップに分けてもよい。さらに、本発明の特徴は、例示された実施形態の１つのみに関して説明されていたかもしれないが、このような特徴は、任意の所与の用途で他の実施形態の１つ又は複数の他の特徴と組み合わせてもよい。上記のことから、本明細書中の特有の構造の作製又はその動作もまた本発明による方法を構成することも理解されるであろう。
【００７９】
本明細書に示す説明及び例示は、本発明、その原理、及びその実際の用途を当業者に教示することを意図している。当業者は、本発明を特定の用途の要件に最適であり得るように多くの形態で改造及び適用することができる。したがって、記載された本発明の具体的な実施形態は、本発明を網羅又は限定することを意図しない。したがって、本発明の範囲は、上記の説明を基準として判断されるのではなく、当該特許請求の範囲がカバーする等価物の全範囲とともに添付の特許請求の範囲を基準として判断されるべきである。特許出願及び出願公開を含む全ての文献及び引例の開示は、あらゆる目的で参照により援用される。
【図面の簡単な説明】
【００８０】
【図１】インサートの第１の実施形態の分解図を示す。
【図２】インサートの第１の実施形態を含むシステムの概略図を示す。
【図３】インサートの第２の実施形態の分解図を示す。
【図４】インサートの第２の実施形態を含むシステムの概略図を示す。
【図５】インサートの第３の実施形態の分解図を示す。
【図６】インサートの第３の実施形態を含むシステムの概略図を示す。
【図７】インサートの第４の実施形態の分解図を示す。
【図８】インサートの第４の実施形態を含むシステムの概略図を示す。
【図１】
2007506526.tif 000003
【図２】
2007506526.tif 000004
【図３】
2007506526.tif 000005
【図４】
2007506526.tif 000006
【図５】
2007506526.tif 000007
【図６】
2007506526.tif 000008
【図７】
2007506526.tif 000009
【図８】
2007506526.tif 000010
【国際調査報告】
2007506526.tif 000011
2007506526.tif 000012